(57)【要約】【課題】円環状を形成し、円環状の大きさ、サイズ、直径等をユーザー側において自由に設定し、一定に維持し、円環状を固設できることができる結束バンドを提供する。【解決手段】第１係合突起２を長手方向に表面３に列設したバンド部４を設け、バンド部４を挿通する第１挿通孔５を有した第１バックル部６を設け、第１係合突起２を係止する第１係止片７を第１挿通孔５の壁面８に設け、第１バックル部６をバンド部４の一端９に配置した結束バンド１において、バンド部４の裏面１０に第２係合突起１１を長手方向に列設し、バンド部４を挿通する第２挿通孔１２を有した第２バックル部１３を設け、第２係合突起１１を係止する第２係止片１４を第２挿通孔１２の壁面１５に設け、第２バックル部１３の第２挿通孔１２にバンド部４を挿通して配置し、第２係合突起１１を設けたバンド部４を挿通する第１挿通孔５を有した第１バックル部６を配置した結束バンド。【選択図】図１１
2011057246.tif 000002
【特許請求の範囲】
【請求項１】
第１係合突起を長手方向に表面に列設したバンド部を設け、該バンド部を挿通する第１挿通孔を有した第１バックル部を設け、該第１係合突起を係止する第１係止片を第１挿通孔の壁面に設け、該第１バックル部をバンド部の一端に配置し、第１挿通孔へのバンド部の挿通を許容して第１係止片により第１係合突起を係止して戻り方向へのバンド部の移動を規制する結束バンドにおいて、該バンド部の裏面に第２係合突起を長手方向に列設し、該バンド部を挿通する第２挿通孔を有した第２バックル部を設け、該第２係合突起を係止する第２係止片を第２挿通孔の壁面に設け、該第２バックル部の第２挿通孔にバンド部を挿通して配置し、第２挿通孔へのバンド部の挿通を許容して第２係止片により第２係合突起を係止して戻り方向へのバンド部の移動を規制して設け、該第２係合突起を設けたバンド部を挿通する第１挿通孔を有した第１バックル部を配置し、第１挿通孔へのバンド部の挿通を許容する挿通方向と第２挿通孔へのバンド部の挿通を許容する挿通方向とが相反し、第１係止片により第１係合突起を係止してバンド部の移動を規制する戻り方向と第２係止片により第２係合突起を係止してバンド部の移動を規制する戻り方向とが相反し、該第１挿通孔にバンド部を挿通させ第１係止片により第１係合突起を係止させながらバンド部を挿通方向に移動した第１バックル部と、該第２挿通孔にバンド部を挿通させ第２係止片により第２係合突起を係止させながらバンド部を挿通方向に移動した第２バックル部と、を当接させることにより、バンド部の挿通方向および戻り方向の移動を規制して、形成した円環状のバンド部の大きさを一定に維持して固設できることを特徴とする結束バンド。
【請求項２】
請求項１に記載の結束バンドにおいて、該第２バックル部の第２挿通孔にバンド部を挿通して配置し、に代えて、第２挿通孔に繋がる該第２バックル部の一端に切り込み部を設け、該切り込み部を通して第２挿通孔にバンド部を挿通して配置し、としたことを特徴とする請求項１に記載の結束バンド。
【請求項３】
第１係合突起を長手方向に表面に列設したバンド部を設け、該バンド部を挿通する第１挿通孔を有した第１バックル部を設け、該第１係合突起を係止する第１係止片を第１挿通孔の壁面に設け、該第１バックル部をバンド部の一端に配置し、第１挿通孔へのバンド部の挿通を許容して第１係止片により第１係合突起を係止して戻り方向へのバンド部の移動を規制する結束バンドにおいて、該バンド部に一体的に突片を設け、該第１挿通孔にバンド部を挿通させ第１係止片により第１係合突起を係止させながらバンド部を挿通方向に移動した第１バックル部と、該突片と、を当接させることにより、バンド部の挿通方向および戻り方向の移動を規制して、形成した円環状のバンド部の大きさを一定に維持して固設できることを特徴とする結束バンド。
【発明の詳細な説明】
【技術分野】
【０００１】
本発明は、結束バンドに関し、詳細には、形成した円環状のバンド部の大きさを一定に維持して固設できることを特徴とする結束バンドに関する。
【背景技術】
【０００２】
一般に、鍵等を保持する円環状のキーホルダー等には、リング形態を維持するために、バネ構造にしたもの等がある。また、金属の線を二重螺旋状に構成したリング形状のものが提供されている。以下、具体的に４件について記す。１件目について記す。好ましくは円形のリングを有するキーリングであって、前記リングは、一周している第１の巻回部と、この第１の巻回部に結合されると共に、第１の巻回部に向けて弾性的に引かれる一部または好ましくは、一周している第２の巻回部とを有し、第１の巻回部は、二つの巻回部の間および二つの自由端から延在している間隔によって第２の巻回部から分離され、キーのヘッドは、キーリングにそれを固定したり、あるいはそれを取り外したりするように、間隔を通じて通過し、摘みは爪形状で設けられており、その摘みは、間隔に挿入するに十分な薄さと十分な幅を有する導入端を備え、摘みを回転させることによって、二つの巻回部が、キーヘッドを挿入するために十分に離れるよう移動し、補助リングが前記リングに摘みを固定するために設けられ、前記摘みは補助リングが通過する開口を有し、その補助リングと、導入端と、摘みの開口部との相対的な寸法は、前記摘みが前記間隔内においてその幅で挿入された導入端と共に実質的に９０°回転されたとき、前記補助リングが摘みに接触するよう選択され、その結果、摘みの回転が一つの回転方向において不可能となり、前記摘みを保持することなくユーザーが二つの巻回部の間にキーを挿入することができるように、前記摘みが二つの巻回部の間に保持されることを特徴とするキーリング（特許文献１参照）がある。次に、２件目について記す。一部が切り欠かれて開口部となったリング形状の芯体と、該芯体の一方端部寄りに巻回装着され、一方端が該芯体に係止された弾撥材と、前記芯体の他方端部寄りにスライド自在に外装着され、一方端が前記弾撥材の他方端に弾接し、且つ他方端が該弾撥材の弾撥力によって前記芯体の一方端に弾接し、前記芯体の開口部を閉鎖できるパイプ体、とを有し、前記芯体の他方端に、弾撥材の弾撥力に逆らってスライドした前記パイプ体の他方開口端に係止できる係止突起を設けたことを特徴とするリング体（特許文献２参照）がある。次に、３件目について記す。複数枚重ねたカードと、前記各カードに設けた穴に挿通するリングとから成るリング結束式の冊子において、前記リングを前記穴への挿通部分を中心として回転させたときに、前記リングの前記挿通部分と反対側の部分が進入し且つリングの太さ以上の深さを有する切欠部を、前記カードの少なくとも、一つの辺に設けたことを特徴とするリング結束式の冊子（特許文献３参照）がある。次に、４件目について記す。細長で長手方向に沿って列設された複数の歯を有するバンド部と、該バンド部の一端に、該バンド部を挿通する挿通孔を有する枠状のバックル部とを備え、該挿通孔の一辺に、該歯とかみ合う係止歯を有する歯止め片を設け、該歯止め片により該バンド部を該バックル部から引抜不能とする結束バンドにおいて、該バンド部の両脇に該歯の歯先と同じか又は歯先より高く形成された平坦なガード部を設け、該挿通孔の一辺の一方に該歯止め片を設けると共に、該挿通孔の一辺の他方に該バンド部を収容���る退避部を設け、該歯と該係止歯とがかみ合った状態の該バンド部を、該歯及び該係止歯の歯すじ方向に摺動させ、一方の該ガード部を該退避部に移動しつつ、他方の該ガード部を該係止歯の上に載置し、該歯を該係止歯から脱離させた状態で該バンド部を該バックル部から引き抜き可能としたことを特徴とする締結バンド（特許文献４参照）がある。
【特許文献１】特表２００５−５２９６６０
【特許文献２】特開２００２−１１２８７８
【特許文献３】特開２０００−１５３６８６
【特許文献４】特開２００３−２３７８２３
【発明の開示】
【発明が解決しようとする課題】
【０００３】
前記従来例の特許文献１については、文献に記載の文を引用すれば、リング単体においては、互いに弾性的に付勢されている二つの巻回部を有するキーリングの利点は、挟んだりつかんだりすることによって開閉する従来のキーリングに生じない欠点によって相殺され、指の爪などによって反対方向に作用されるかなりの力により、第２の巻回部が第１巻回部に対して弾性的に付勢されることから、キーリングへとキーを挿入したり取り外したりすることが困難で、二つの巻回部を有するキーリングに対しキーを取出したり、取り付けたりしようとするときに、指の爪を損傷することは、例外的なことではない、という指摘のとおり取扱いが容易であるとはいえないという問題がある。そこで、特許文献１においては、摘み、言い換えるなら、道具を設け、この摘みという道具により課題を解決しようとしている。指の爪を損傷することは無くなり、反対方向に作用されるかなりの力も軽減される。しかし、文献１の発明についても、反対方向に作用される力は軽減されるものの、やはり以前として使用時には力を必要とするため、手に対する負担の度合が少ないとはいえず、取扱いが容易とはいい難いという問題がある。特許文献２についても、特許文献１と同様のリングの単体においては、文献に記載の文を引用すれば、例えば、鍵等をリングに組付け、或いは外す際に手間のかかるものであり、二重に巻かれたピアノ線の基端部を指先で開くには強い力を必要とし、指先や爪を傷めてしまうことが多く、特に鍵等の孔の部分が肉厚であるような場合には、上記の操作が極めて困難である、という指摘のとおり取扱いが容易であるとはいえないという問題がある。そこで、特許文献２においては、従来の欠点、不都合を解消するべく開発し、鍵を確実に保持しながらも、鍵の組み込み、組み外しを容易に達成できるようにすることを目的としている。しかし、例えば、振動や衝撃が加わると、開口部の開閉状態が劣る場合があり、または、誤って開く可能性があり、確実性に欠ける可能性が低くないという問題がある。また、取扱いが必ずしも容易とはいい難く、手に対する負担の度合が少ないとはいえないという問題がある。さらに、構造が簡易とはいい難いのでコスト面でも安価では一般に提供しにくいという問題がある。特許文献３については、リングの結束の度合が特許文献１〜２に比べると、さらに低く、リングが開いてリングに挿入したカードがリングの外に出て散らばる可能性が低くないという問題がある。特許文献４については、バンド部をバックル部から引抜不能とするものの、円環状を形成することは可能であるが、バックル部に対してバンド部を挿通する方向に移動し続ければ、円環状の大きさ、サイズ、直径等が除々に小さくなり、円環状の大きさ、サイズ、直径等を一定に維持できない、つまり、円環状を固設できないという問題がある。本発明は、前記問題を解消し、従来例の円環状のリングと比較して、取扱いの際に大きな力を必要とせず、指の爪を損傷することがなく、手に対する負担の度合が大きくなく、取扱いが比較的容易である結束バンドを提供することを目的とする。また、従来例の円環状のリングと比較して、振動や衝撃が加わっても、開口部の状態が劣ることがなく、または、誤って開く可能性が少なく、確実性のある結束バンドを提供することを目的とする。また、従来例の円環状のリングと比較して、構造が簡易で、リングの結束の度合が低くない結束バンドを提供することを目的とする。また、従来例の結束バンドと比較して、円環状の大きさ、サイズ、直径等を一定に維持し、円環状を固設できる結束バンドを提供することを目的とする。
【０００４】
また、特許文献１〜３については、円環状を形成し、円環状の大きさ、サイズ、直径等を一定に維持し、円環状を固設できるものの、円環状の大きさ、サイズ、直径等をユーザー側において自由に設定し、使用することが難しいという問題がある。本発明は、前記問題を解消し、円環状を形成し、円環状の大きさ、サイズ、直径等を一定に維持し、円環状を固設でき、さらに、円環状の大きさ、サイズ、直径等をユーザー側において自由に設定し、使用することができる結束バンドを提供することを目的とする。
【課題を解決するための手段】
【０００５】
本発明によると上記課題は、次のようにして解決される。
（１）第１係合突起を長手方向に表面に列設したバンド部を設け、該バンド部を挿通する第１挿通孔を有した第１バックル部を設け、該第１係合突起を係止する第１係止片を第１挿通孔の壁面に設け、該第１バックル部をバンド部の一端に配置し、第１挿通孔へのバンド部の挿通を許容して第１係止片により第１係合突起を係止して戻り方向へのバンド部の移動を規制する結束バンドにおいて、該バンド部の裏面に第２係合突起を長手方向に列設し、該バンド部を挿通する第２挿通孔を有した第２バックル部を設け、該第２係合突起を係止する第２係止片を第２挿通孔の壁面に設け、該第２バックル部の第２挿通孔にバンド部を挿通して配置し、第２挿通孔へのバンド部の挿通を許容して第２係止片により第２係合突起を係止して戻り方向へのバンド部の移動を規制して設け、該第２係合突起を設けたバンド部を挿通する第１挿通孔を有した第１バックル部を配置し、第１挿通孔へのバンド部の挿通を許容する挿通方向と第２挿通孔へのバンド部の挿通を許容する挿通方向とが相反し、第１係止片により第１係合突起を係止してバンド部の移動を規制する戻り方向と第２係止片により第２係合突起を係止してバンド部の移動を規制する戻り方向とが相反し、該第１挿通孔にバンド部を挿通させ第１係止片により第１係合突起を係止させながらバンド部を挿通方向に移動した第１バックル部と、該第２挿通孔にバンド部を挿通させ第２係止片により第２係合突起を係止させながらバンド部を挿通方向に移動した第２バックル部と、を当接させることにより、バンド部の挿通方向および戻り方向の移動を規制して、形成した円環状のバンド部の大きさを一定に維持して固設できることを特徴とする結束バンドとする。
【０００６】
（２）上記（１）項に記載の結束バンドにおいて、該第２バックル部の第２挿通孔にバンド部を挿通して配置し、に代えて、第２挿通孔に繋がる該第２バックル部の一端に切り込み部を設け、該切り込み部を通して第２挿通孔にバンド部を挿通して配置し、としたことを特徴とする結束バンドとする。
【０００７】
（３）第１係合突起を長手方向に表面に列設したバンド部を設け、該バンド部を挿通する第１挿通孔を有した第１バックル部を設け、該第１係合突起を係止する第１係止片を第１挿通孔の壁面に設け、該第１バックル部をバンド部の一端に配置し、第１挿通孔へのバンド部の挿通を許容して第１係止片により第１係合突起を係止して戻り方向へのバンド部の移動を規制する結束バンドにおいて、該バンド部に一体的に突片を設け、該第１挿通孔にバンド部を挿通させ第１係止片により第１係合突起を係止させながらバンド部を挿通方向に移動した第１バックル部と、該突片と、を当接させることにより、バンド部の挿通方向および戻り方向の移動を規制して、形成した円環状のバンド部の大きさを一定に維持して固設できることを特徴とする結束バンドとする。
【発明の効果】
【０００８】
本発明によれば、次のような効果を奏する。
（１）本発明の請求項１記載の発明によれば、従来例の円環状のリングと比較して、取扱いの際に大きな力を必要とせず、指の爪を損傷することがなく、手に対する負担の度合が大きくなく、取扱いが比較的容易である。また、従来例の円環状のリングと比較して、振動や衝撃が加わっても、開口部の状態が劣ることがなく、または、誤って開く可能性が少なく、確実性がある。また、従来例の円環状のリングと比較して、構造が簡易で、リングの結束の度合が低くない。あるいは、従来例の結束バンドと比較して、円環状の大きさ、サイズ、直径等を一定に維持し、円環状を固設できる。さらに、従来例の円環状のリングあるいは従来例の結束バンドと比較して、円環状の大きさ、サイズ、直径等をユーザー側において自由に設定し、使用することができる。
【０００９】
（２）本発明の請求項２記載の発明によれば、従来例の円環状のリングと比較して、取扱いの際に大きな力を必要とせず、指の爪を損傷することがなく、手に対する負担の度合が大きくなく、取扱いが比較的容易である。また、従来例の円環状のリングと比較して、振動や衝撃が加わっても、開口部の状態が劣ることがなく、または、誤って開く可能性が少なく、確実性がある。また、従来例の円環状のリングと比較して、構造が簡易で、リングの結束の度合が低くない。あるいは、従来例の結束バンドと比較して、円環状の大きさ、サイズ、直径等を一定に維持し、円環状を固設できる。さらに、従来例の円環状のリングあるいは従来例の結束バンドと比較して、円環状の大きさ、サイズ、直径等をユーザー側において自由に設定し、使用することができる。また、製造時の加工が比較的容易である。
【００１０】
（３）本発明の請求項３記載の発明によれば、従来例の円環状のリングと比較して、取扱いの際に大きな力を必要とせず、指の爪を損傷することがなく、手に対する負担の度合が大きくなく、取扱いが比較的容易である。また、従来例の円環状のリングと比較して、振動や衝撃が加わっても、開口部の状態が劣ることがなく、または、誤って開く可能性が少なく、確実性がある。また、従来例の円環状のリングと比較して、構造が簡易で、リングの結束の度合が低くない。あるいは、従来例の結束バンドと比較して、円環状の大きさ、サイズ、直径等を一定に維持し、円環状を固設できる。また、複雑な工程を必要とせず製造時のコストを低減することができる。
【発明を実施するための最良の形態】
【００１１】
以下に、添付図面に基づいて本発明の実施の形態について詳細に説明するが、本発明の範囲は、以下に説明される実施の形態に限定されるものではない。本発明の一実施形態である、実施例１である、結束バンド（１）について記す。図１、７、１０にて、第１係合突起（２）を長手方向に表面（３）に列設したバンド部（４）を設けてある。該バンド部（４）を挿通する第１挿通孔（５）を有した第１バックル部（６）を設けてある。該第１係合突起（２）を係止する第１係止片（７）を第１挿通孔（５）の壁面（８）に設けてある。該第１バックル部（６）をバンド部（４）の一端（９）に配置してある。第１挿通孔（５）へのバンド部（４）の挿通を許容して第１係止片（７）により第１係合突起（２）を係止して戻り方向（矢印Ｍ１）へのバンド部（４）の移動を規制する結束バンド（１）としてある。該バンド部（４）の裏面（１０）に第２係合突起（１１）を長手方向に列設してある。該バンド部（４）を挿通する第２挿通孔（１２）を有した第２バックル部（１３）を設けてある。該第２係合突起（１１）を係止する第２係止片（１４）を第２挿通孔（１２）の壁面（１５）に設けてある。図７、１２にて、該第２バックル部（１３）の第２挿通孔（１２）にバンド部（４）を挿通して配置してある。合成樹脂等による成型加工時において、あらかじめ、第２挿通孔（１２）にバンド部（４）を挿通して加工しておく。図８、１０にて、第２挿通孔（１２）へのバンド部（４）の挿通を許容して第２係止片（１４）により第２係合突起（１１）を係止して戻り方向（矢印Ｍ２）へのバンド部（４）の移動を規制して設けてある。該第２係合突起（１１）を設けたバンド部（４）を挿通する第１挿通孔（５）を有した第１バックル部（６）を配置してある。第１挿通孔（５）へのバンド部（４）の挿通を許容する挿通方向（矢印Ｓ１）と第２挿通孔（１２）へのバンド部（４）の挿通を許容する挿通方向（矢印Ｓ２）とが相反している。第１係止片（７）により第１係合突起（２）を係止してバンド部（４）の移動を規制する戻り方向（矢印Ｍ１）と第２係止片（１４）により第２係合突起（１１）を係止してバンド部（４）の移動を規制する戻り方向（矢印Ｍ２）とが相反している。図９、１１にて、該第１挿通孔（５）にバンド部（４）を挿通させ第１係止片（７）により第１係合突起（２）を係止させながらバンド部（４）を挿通方向（矢印Ｓ１）に移動した第１バックル部（６）と、該第２挿通孔（１２）にバンド部（４）を挿通させ第２係止片（１４）により第２係合突起（１１）を係止させながらバンド部（４）を挿通方向（矢印Ｓ２）に移動した第２バックル部（１３）と、を当接させることにより、バンド部（４）の挿通方向（矢印Ｓ１、Ｓ２）および戻り方向（矢印Ｍ１、Ｍ２）の移動を規制して、形成した円環状（２１）のバンド部（４）の大きさを一定に維持して固設できる。
【００１２】
次に、実施例１である、結束バンド（１）の作用について記す。図７にて、第１バックル部（６）の第１挿通孔（５）にバンド部（４）を挿通し、第１係止片（７）により第１係合突起（２）を係止させ、円環状（２１）を形成したバンド部（４）において、円環状（２１）の大きさを一定に維持したい位置にて第１バックル部（６）を停止させる。次に、図７、８、１０にて、第２バックル部（１３）の第２挿通孔（１２）にバンド部（４）を挿通させ、第２係止片（１４）により第２係合突起（１１）を係止させてある第２バックル部（１３）を、円環状（２１）のバンド部（４）に沿って、第１バックル部（６）が停止している方向に移動させる。図９、１１にて、停止している第１バックル部（６）に第２バックル部（１３）を当接させる。当接させることにより、バンド（４）の挿通方向（矢印Ｓ１、Ｓ２）および戻り方向（矢印Ｍ１、Ｍ２）の移動を規制して、形成した円環状（２１）のバンド部（４）の大きさを一定に維持して固設する。また、実施例１である、結束バンド（１）の効果としては次のとおりである。従来例の円環状のリングと比較して、取扱いの際に大きな力を必要とせず、指の爪を損傷することがなく、手に対する負担の度合が大きくなく、取扱いが比較的容易である。また、従来例の円環状のリングと比較して、振動や衝撃が加わっても、開口部の状態が劣ることがなく、または、誤って開く可能性が少なく、確実性がある。また、従来例の円環状のリングと比較して、構造が簡易で、リングの結束の度合が低くない。あるいは、従来例の結束バンドと比較して、円環状の大きさ、サイズ、直径等を一定に維持し、円環状を固設できる。さらに、従来例の円環状のリングあるいは従来例の結束バンドと比較して、円環状の大きさ、サイズ、直径等をユーザー側において自由に設定し、使用することができる。また、従来例の円環状のリングと比較して、合成樹脂のため軽量である。
【００１３】
次に、本発明の他の一実施形態である、実施例２である、結束バンド（１ａ）について記す。実施例２である、結束バンド（１ａ）は、実施例１である、結束バンド（１）において、次のようにしてある。実施例１の結束バンドにおいて、該第２バックル部（１３）の第２挿通孔（１２）にバンド部（４）を挿通して配置し、に代えて、図１３、１４、１５にて、第２挿通孔（１２ａ）に繋がる該第２バックル部（１３ａ）の一端（１６）に切り込み部（１７）を設け、該切り込み部（１７）を通して第２挿通孔（１２ａ）にバンド部（４ａ）を挿通して配置し、としてある。第２挿通孔（１２ａ）の上面（２２）に切り込み部（１７）を設けてある。図１３、２４にて、切り込み部（１７）は断面四角形状に形成してある。図１４、１５にて、切り込み部（１７）に対してバンド部（４ａ）を傾斜させ、柔軟性を有した第２バックル部（１３ａ）の一部を一時的に変形させることにより、第２挿通孔（１２ａ）にバンド部（４ａ）を挿入して挿通してある。この場合、切り込み部（１７）に対してバンド部（４ａ）を傾斜させ、柔軟性を有したバンド部（４ａ）の一部を一時的に変形させることにより、第２挿通孔（１２ａ）にバンド部（４ａ）を挿入して挿通してもよい。
【００１４】
次に、本発明の他の一実施形態である、実施例３である、結束バンド（１ｂ）について記す。実施例３である、結束バンド（１ｂ）は、実施例１である、結束バンド（１）において、次のようにしてある。実施例１の結束バンドにおいて、該第２バックル部（１３）の第２挿通孔（１２）にバンド部（４）を挿通して配置し、に代えて、図１６、２０、２１にて、第２挿通孔（１２ｂ）に繋がる該第２バックル部（１３ｂ）の一端（１６ｂ）に切り込み部（１７ｂ）を設け、該切り込み部（１７ｂ）を通して第２挿通孔（１２ｂ）にバンド部（２０）を挿通して配置し、としてある。第２挿通孔（１２ｂ）の上面（２２ｂ）に切り込み部（１７ｂ）を設けてある。図１６、１８にて、切り込み部（１７ｂ）は断面台形状に形成してあり、台形の上辺（１８）より台形の下辺（１９）を短くしてある。また、図１６、１８、２０、２１にて、該切り込み部（１７ｂ）を通して第２挿通孔（１２ｂ）に挿通するバンド部（２０）の箇所は、第１係合突起と第２係合突起を設けてあるバンド部（４ｂ）の箇所より、幅を短くして、また、台形の上辺（１８）と同じ程度の長さの幅にし、切り込み部（１７ｂ）の台形の上辺（１８）より挿入して挿通できるようにしてある。第２挿通孔（１２ｂ）にバンド部（２０）を挿通後、バンド部（２０）を挿通方向（矢印Ｓ２ｂ）に、さらに移動することにより、第２係止片（１４ｂ）により第２係合突起が係止され、第２挿通孔（１２ｂ）にバンド部（４ｂ）を挿通する。
【００１５】
次に、本発明の他の一実施形態である、実施例４である、結束バンド（１ｃ）について記す。実施例４である、結束バンド（１ｃ）は、実施例１である、結束バンド（１）において、次のようにしてある。実施例１の結束バンドにおいて、該第２バックル部（１３）の第２挿通孔（１２）にバンド部（４）を挿通して配置し、に代えて、図１７、２２、２３にて、第２挿通孔（１２ｃ）に繋がる該第２バックル部（１３ｃ）の一端（１６ｃ）に切り込み部（１７ｃ）を設け、該切り込み部（１７ｃ）を通して第２挿通孔（１２ｃ）にバンド部（２０ｃ）を挿通して配置し、としてある。第２挿通孔（１２ｃ）の上面（２２ｃ）に切り込み部（１７ｃ）を設けてある。図１７、１９にて、切り込み部（１７ｃ）は断面四角形状に形成してある。図１７、１９、２２、２３にて、該切り込み部（１７ｃ）を通して第２挿通孔（１２ｃ）に挿通するバンド部（２０ｃ）の箇所は、第１係合突起と第２係合突起を設けてあるバンド部（４ｃ）の箇所より、幅を短くして、また、四角形の上辺（１８ｃ）より幅を短くし、切り込み部（１７ｃ）の四角形の上辺（１８ｃ）より挿入して挿通できるようにしてある。第２挿通孔（１２ｃ）にバンド部（２０ｃ）を挿通後、バンド部を挿通方向（矢印Ｓ２ｃ）に、さらに移動することにより、第２係止片（１４ｃ）により第２係合突起が係止され、第２挿通孔（１２ｃ）にバンド部（４ｃ）を挿通する。
【００１６】
本発明の一実施形態である、実施例５である、結束バンド（１ｄ）について記す。図２６、２７、２８にて、第１係合突起（２ｄ）を長手方向に表面（３ｄ）に列設したバンド部（４ｄ）を設けてある。該バンド部（４ｄ）を挿通する第１挿通孔（５ｄ）を有した第１バックル部（６ｄ）を設けてある。該第１係合突起（２ｄ）を係止する第１係止片（７ｄ）を第１挿通孔（５ｄ）の壁面（８ｄ）に設けてある。該第１バックル部（６ｄ）をバンド部（４ｄ）の一端（９ｄ）に配置してある。第１挿通孔（５ｄ）へのバンド部（４ｄ）の挿通を許容して第１係止片（７ｄ）により第１係合突起（２ｄ）を係止して戻り方向（矢印Ｍ１ｄ）へのバンド部（４ｄ）の移動を規制する結束バンド（１ｄ）としてある。該バンド部（４ｄ）に一体的に突片（２３）を設けてある。該第１挿通孔（５ｄ）にバンド部（４ｄ）を挿通させ第１係止片（７ｄ）により第１係合突起（２ｄ）を係止させながらバンド部（４ｄ）を挿通方向（矢印Ｓ１ｄ）に移動した第１バックル部（６ｄ）と、該突片（２３）と、を当接させることにより、バンド部（４ｄ）の挿通方向（矢印Ｓ１ｄ）および戻り方向（矢印Ｍ１ｄ）の移動を規制して、形成した円環状（２１ｄ）のバンド部（４ｄ）の大きさを一定に維持して固設できる。また、実施例５である、結束バンド（１ｄ）の効果としては次のとおりである。従来例の円環状のリングと比較して、取扱いの際に大きな力を必要とせず、指の爪を損傷することがなく、手に対する負担の度合が大きくなく、取扱いが比較的容易である。また、従来例の円環状のリングと比較して、振動や衝撃が加わっても、開口部の状態が劣ることがなく、または、誤って開く可能性が少なく、確実性がある。また、従来例の円環状のリングと比較して、構造が簡易で、リングの結束の度合が低くない。あるいは、従来例の結束バンドと比較して、円環状の大きさ、サイズ、直径等を一定に維持し、円環状を固設できる。あるいは、該バンド部（４ｄ）に一体的に突片（２３）を設けるので複雑な工程を必要とせず製造時のコストを低減することができる。また、該バンド部（４ｄ）に一体的に突片（２３）を設ける位置を製造時にて変えることにより、円環状（２１ｄ）のバンド部（４ｄ）の大きさを自由に設けられる。また、製造設備について特に新しい技術を必要とせず、汎用技術で対応できるため製造コストが大幅に増えることがない。また、従来例の円環状のリングと比較して、合成樹脂のため軽量である。
【００１７】
次に、特に図示しないが、本発明の他の一実施形態である、実施例６である、結束バンドについて記す。実施例６である、結束バンドは、実施例１である、結束バンド（１）において、次のようにしてある。実施例１の結束バンドにおいて、該第２バックル部（１３）の第２挿通孔（１２）にバンド部（４）を挿通して配置し、に代えて、第２挿通孔に繋がる該第２バックル部の一端に切り込み部を設け、該切り込み部を通して第２挿通孔にバンド部を挿通して配置し、としてある。第２挿通孔の上面に切り込み部を設けてある。切り込み部は断面四角形状に形成してある。また、該切り込み部を通して第２挿通孔に挿通するバンド部の箇所は、第１係合突起と第２係合突起を設けてあるバンド部の箇所より、幅を短くして、また、断面台形状に形成し、台形の上辺より台形の下辺を短くして、切り込み部の上辺と台形の下辺を同じ程度の長さの幅にし、切り込み部の上辺より挿通できるようにしてある。第２挿通孔にバンド部を挿通後、バンド部を挿通方向に、さらに移動することにより、第２係止片により第２係合突起が係止され、第２挿通孔にバンド部を挿通する。つまり、実施例３においては、切り込み部を断面台形状に形成してあるのに対し、実施例６においては、該切り込み部を通して第２挿通孔に挿通するバンド部の箇所を断面台形状に形成してある。また、実施例２，３，４，６である、結束バンド（１ａ）（１ｂ）（１ｃ）の効果としては次のとおりである。従来例の円環状のリングと比較して、取扱いの際に大きな力を必要とせず、指の爪を損傷することがなく、手に対する負担の度合が大きくなく、取扱いが比較的容易である。また、従来例の円環状のリングと比較して、振動や衝撃が加わっても、開口部の状態が劣ることがなく、または、誤って開く可能性が少なく、確実性がある。また、従来例の円環状のリングと比較して、構造が簡易で、リングの結束の度合が低くない。あるいは、従来例の結束バンドと比較して、円環状の大きさ、サイズ、直径等を一定に維持し、円環状を固設できる。さらに、従来例の円環状のリングあるいは従来例の結束バンドと比較して、円環状の大きさ、サイズ、直径等をユーザー側において自由に設定し、使用することができる。また、該切り込み部を通して第２挿通孔にバンド部を挿通して配置するので、あらかじめ製造時にて第２バックル部を別に加工でき、製造時の加工が比較的容易である。また、製造設備について特に新しい技術を必要とせず、汎用技術で対応できるため製造コストが大幅に増えることがない。また、従来例の円環状のリングと比較して、合成樹脂のため軽量である。
【００１８】
また、特に図示しないが、次のようにしてもよい。第２挿通孔の上面に切り込み部を設けてある実施例３、４、６、８にかえて、第２挿通孔の側面に切り込み部を設けてもよい。
【００１９】
また、特に図示しないが、次のようにしてもよい。実施例１において、第１バックル部（６）をバンド部（４）とは一体的に設けず、別個に配置する。つまり、円環状を形成しない直線状のバンド部においても、該第１挿通孔にバンド部を挿通させ第１係止片により第１係合突起を係止させながらバンド部を挿通方向に移動した第１バックル部と、該第２挿通孔にバンド部を挿通させ第２係止片により第２係合突起を係止させながらバンド部を挿通方向に移動した第２バックル部と、を当接させることにより、バンド部の挿通方向および戻り方向の移動を規制して、バンド部に対するバックル部の位置を一定に維持して固設できる。言い換えると次のようになる。例えば、実施例１の結束バンドにおいて、該第１バックル部（６）をバンド部（４）の一端（９）に配置し、に代えて、該第１バックル部（６）を設け、としてもよい。また、実施例１の結束バンドにおいて、形成した円環状（２１）のバンド部（４）の大きさを一定に維持して固設できる、に代えて、バンド部に対するバックル部の位置を一定に維持して固設できる、としてもよい。この場合、特に、該第２バックル部（１３）の第２挿通孔（１２）にバンド部（４）を挿通して配置する必要はない。
【００２０】
また、各々の実施例である、結束バンドについて、次のようにしてもよい。例えば、実施例１の結束バンドにおいて、形成した円環状（２１）のバンド部（４）の大きさを一定に維持して固設できる、に代えて、形成した円環状（２１）のバンド部（４）のサイズを一定に維持して固設できる、としてもよい。または、実施例１の結束バンドにおいて、形成した円環状（２１）のバンド部（４）の大きさを一定に維持して固設できる、に代えて、形成した円環状（２１）のバンド部（４）の大きさあるいはサイズを一定に維持して固設できる、としてもよい。
【００２１】
また、各々の実施例である、結束バンドについて、次のようにしてもよい。例えば、実施例１の結束バンドにおいて、第１係合突起（２）、に代えて、鋸歯状の歯である第１係合突起、としてもよい。同様に、第２係合突起（１１）、に代えて、鋸歯状の歯である第２係合突起、としてもよい。また、例えば、実施例１の結束バンドにおいて、第１係合突起（２）、に代えて、凹凸状である第１係合突起、としてもよい。同様に、第２係合突起（１１）、に代えて、凹凸状である第２係合突起、としてもよい。また、例えば、実施例１の結束バンドにおいて、第１係合突起（２）を長手方向に表面（３）に列設したバンド部（４）を設け、に代えて、複数の第１係合突起（２）を長手方向に表面（３）に列設したバンド部（４）を設け、としてもよい。同様に、該バンド部（４）の裏面（１０）に第２係合突起（１１）を長手方向に列設し、に代えて、該バンド部（４）の裏面（１０）に複数の第２係合突起（１１）を長手方向に列設し、としてもよい。また、各々の実施例である、結束バンドについて、次のようにしてもよい。例えば、実施例１の結束バンドにおいて、第１バックル部（６）、に代えて、枠状の第１バックル部、としてもよい。同様に、第２バックル部（１３）、に代えて、枠状の第２バックル部、としてもよい。あるいは、実施例１の結束バンドにおいて、第１バックル部（６）、に代えて、筒状の第１バックル部、としてもよい。同様に、第２バックル部（１３）、に代えて、筒状の第２バックル部、としてもよい。また、例えば、実施例１の結束バンドにおいて、該第１係合突起（２）を係止する第１係止片（７）を第１挿通孔（５）の壁面（８）に設け、に代えて、該第１係合突起（２）を係止する第１係止片（７）を第１挿通孔（５）に設け、としてもよい。同様に、該第２係合突起（１１）を係止する第２係止片（１４）を第２挿通孔（１２）の壁面（１５）に設け、に代えて、該第２係合突起（１１）を係止する第２係止片（１４）を第２挿通孔（１２）に設け、としてもよい。
【００２２】
また、次のようにしてもよい。例えば、実施例１の結束バンドにおいて、表面（３）、に代えて、裏面、として、同様に、裏面（１０）、に代えて、表面、としてもよい。また、実施例１の結束バンドにおいて、表面（３）、に代えて、上面、として、同様に、裏面（１０）、に代えて、下面、としてもよい。また、実施例１の結束バンドにおいて、表面（３）、に代えて、下面、として、同様に、裏面（１０）、に代えて、上面、としてもよい。また、特に図示しないが、次のようにしてもよい。例えば、実施例１の結束バンドにおいて、表面（３）、に代えて、表面の左部、として、同様に、裏面（１０）、に代えて、表面の右部、としてもよい。あるいは、実施例１の結束バンドにおいて、表面（３）、に代えて、表面の右部、として、同様に、裏面（１０）、に代えて、表面の左部、としてもよい。あるいは、実施例１の結束バンドにおいて、表面（３）、に代えて、裏面の左部、として、同様に、裏面（１０）、に代えて、裏面の右部、としてもよい。あるいは、実施例１の結束バンドにおいて、表面（３）、に代えて、裏面の右部、として、同様に、裏面（１０）、に代えて、裏面の左部、としてもよい。
【００２３】
また、次のようにしてもよい。例えば、実施例１の結束バンドにおいて、該第１バックル部（６）をバンド部（４）の一端（９）に配置し、に代えて、該第１バックル部（６）をバンド部（４）に配置し、としてもよい。また、実施例１の結束バンドにおいて、該第１バックル部（６）をバンド部（４）の一端（９）に配置し、に代えて、該第１バックル部（６）をバンド部（４）に一体的に設け、としてもよい。また、実施例１の結束バンドにおいて、該第１バックル部（６）をバンド部（４）の一端（９）に配置し、に代えて、該第１バックル部（６）をバンド部（４）の一端（９）に一体的に設け、としてもよい。また、実施例２の結束バンドにおいて、第２挿通孔（１２ａ）に繋がる該第２バックル部（１３ａ）の一端（１６）に切り込み部（１７）を設け、に代えて、第２挿通孔（１２ａ）に繋がる該第２バックル部（１３ａ）に切り込み部（１７）を設け、としてもよい。実施例３、４についても同様にしてもよい。また、次のようにしてもよい。例えば、実施例２の結束バンドにおいて、第２挿通孔（１２ａ）に繋がる該第２バックル部（１３ａ）の一端（１６）に切り込み部（１７）を設け、に代えて、該第２バックル部（１３ａ）の一端（１６）に切り込み部（１７）を設け、としてもよい。実施例３、４についても同様にしてもよい。あるいは、実施例２の結束バンドにおいて、第２挿通孔（１２ａ）に繋がる該第２バックル部（１３ａ）の一端（１６）に切り込み部（１７）を設け、に代えて、該第２バックル部（１３ａ）に切り込み部（１７）を設け、としてもよい。実施例３、４についても同様にしてもよい。
【００２４】
また、次のようにしてもよい。例えば、実施例１の結束バンドにおいて、第１挿通孔（５）へのバンド部（４）の挿通を許容して第１係止片（７）により第１係合突起（２）を係止して戻り方向（矢印Ｍ１）へのバンド部（４）の移動を規制する結束バンド（１）、に代えて、第１挿通孔（５）へのバンド部（４）の挿通を許容して第１係止片（７）により第１係合突起（２）を係止して戻り方向（矢印Ｍ１）へのバンド部（４）の引き抜きを防止する結束バンド（１）、としてもよい。同様に、第２挿通孔（１２）へのバンド部（４）の挿通を許容して第２係止片（１４）により第２係合突起（１１）を係止して戻り方向（矢印Ｍ２）へのバンド部（４）の移動を規制して設け、に代えて、第２挿通孔（１２）へのバンド部（４）の挿通を許容して第２係止片（１４）により第２係合突起（１１）を係止して戻り方向（矢印Ｍ２）へのバンド部（４）の引き抜きを防止して設け、としてもよい。あるいは、実施例１の結束バンドにおいて、第１挿通孔（５）へのバンド部（４）の挿通を許容して第１係止片（７）により第１係合突起（２）を係止して戻り方向（矢印Ｍ１）へのバンド部（４）の移動を規制する結束バンド（１）、に代えて、第１挿通孔（５）へのバンド部（４）の挿通を許容して第１係止片（７）により第１係合突起（２）を係止して戻り方向（矢印Ｍ１）へのバンド部（４）の後退を停止する結束バンド（１）、としてもよい。あるいは、第２挿通孔（１２）へのバンド部（４）の挿通を許容して第２係止片（１４）により第２係合突起（１１）を係止して戻り方向（矢印Ｍ２）へのバンド部（４）の移動を規制して設け、に代えて、第２挿通孔（１２）へのバンド部（４）の挿通を許容して第２係止片（１４）により第２係合突起（１１）を係止して戻り方向（矢印Ｍ２）へのバンド部（４）の後退を停止して設け、としてもよい。また、第１係止片（７）により第１係合突起（２）を係止してバンド部（４）の移動を規制する戻り方向（矢印Ｍ１）と第２係止片（１４）により第２係合突起（１１）を係止してバンド部（４）の移動を規制する戻り方向（矢印Ｍ２）とが相反し、に代えて、第１係止片（７）により第１係合突起（２）を係止してバンド部（４）の引き抜きを防止する戻り方向（矢印Ｍ１）と第２係止片（１４）により第２係合突起（１１）を係止してバンド部（４）の引き抜きを防止する戻り方向（矢印Ｍ２）とが相反し、としてもよい。また、第１係止片（７）により第１係合突起（２）を係止してバンド部（４）の移動を規制する戻り方向（矢印Ｍ１）と第２係止片（１４）により第２係合突起（１１）を係止してバンド部（４）の移動を規制する戻り方向（矢印Ｍ２）とが相反し、に代えて、第１係止片（７）により第１係合突起（２）を係止してバンド部（４）の後退を停止する戻り方向（矢印Ｍ１）と第２係止片（１４）により第２係合突起（１１）を係止してバンド部（４）の後退を停止する戻り方向（矢印Ｍ２）とが相反し、としてもよい。
【００２５】
次に、本発明の他の一実施形態である、実施例８である、結束バンド（１ｆ）について記す。実施例８である、結束バンド（１ｆ）は、実施例１である、結束バンド（１）において、次のようにしてある。実施例１の結束バンドにおいて、該第２バックル部（１３）の第２挿通孔（１２）にバンド部（４）を挿通して配置し、に代えて、図２９にて、第２挿通孔（１２ｆ）に繋がる該第２バックル部（１３ｆ）の一端に切り込み部を設け、該切り込み部を通して第２挿通孔（１２ｆ）にバンド部（２０ｆ）を挿通して配置し、としてある。該切り込み部を通して第２挿通孔（１２ｆ）にバンド部（２０ｆ）を挿通して配置する場合に、第２挿通孔（１２ｆ）に対してバンド部（２０ｆ）を逆方向に挿通しようとすることがないよう、誤挿入、誤挿通することがないよう、実施例８である、結束バンド（１ｆ）は、実施例３において、バンド部（２０ｆ）の長手方向の一側面（２４）を波状に形成してある。波状に特に限定するものではなく、四角状、星形状、鋸歯状等でもよい。また、特に図示しないが、バンド部の短手方向の一側面、つまり、一側面（２４）の垂直方向の面を同様に設けてもよい。
【００２６】
また、各々の実施例である、結束バンドについて、次のようにしてもよい。結束バンドの材質として、ナイロン、ポリエチレン、ポリプロピレン、ポリアセタール、ポリアミド、ポリアシド等があげられるが他の材料を選択してもよい。また、実施例２、３、６である、結束バンド（１ａ）（１ｂ）について、次のようにしてもよい。該切り込み部を通して第２挿通孔にバンド部を挿通して配置する場合に、挿通しやすいように第２バックル部、バンド部が伸縮するような柔軟性が高い素材を使用してもよい。
【００２７】
また、特に図示しないが、各々の実施例である、結束バンドについて、次のようにしてもよい。特開平９−１５９０６３、特開２００４−３１４９９８のように反復使用可能なタイプ、解除タイプの要素を加えてもよい。また、図２５にて、実施例７である、結束バンド（１ｅ）において、第１係止片（７ｅ）、第２係止片（１４ｅ）を図示するような形で設けてもよい。
【図面の簡単な説明】
【００２８】
【図１】実施例１の正面略図。
【図２】実施例１の断面略図。
【図３】実施例２の正面略図。
【図４】実施例２の部分拡大正面図。
【図５】実施例２の部分拡大断面図。
【図６】実施例２の第２バックル部を設ける前の説明図。
【図７】実施例１の作用の説明図。
【図８】実施例１の作用の説明図。
【図９】実施例１の作用の説明図。
【図１０】実施例１の部分拡大断面図。
【図１１】実施例１の部分拡大断面図。
【図１２】実施例１の部分拡大斜視図。
【図１３】実施例２の部分拡大斜視図。
【図１４】実施例２の部分拡大斜視図。
【図１５】実施例２の部分拡大斜視図。
【図１６】実施例３の部分拡大斜視図。
【図１７】実施例４の部分拡大斜視図。
【図１８】実施例３の部分拡大断面図。
【図１９】実施例４の部分拡大断面図。
【図２０】実施例３の部分拡大斜視図。
【図２１】実施例３の部分拡大斜視図。
【図２２】実施例４の部分拡大斜視図。
【図２３】実施例４の部分拡大斜視図。
【図２４】実施例２の部分拡大断面図。
【図２５】実施例７の部分拡大断面図。
【図２６】実施例５の作用の説明図。
【図２７】実施例５の作用の説明図。
【図２８】実施例５の部分拡大断面図。
【図２９】実施例８の部分拡大斜視図。
【符号の説明】
【００２９】
（１）      結束バンド、実施例１
（１ａ）    結束バンド、実施例２
（１ｂ）    結束バンド、実施例３
（１ｃ）    結束バンド、実施例４
（１ｄ）    結束バンド、実施例５
（１ｅ）    結束バンド、実施例７
（１ｆ）    結束バンド、実施例８
（２）      第１係合突起
（３）      表面
（４）      バンド部
（５）      第１挿通孔
（６）      第１バックル部
（７）      第１係止片
（８）      壁面
（９）      一端
（１０）    裏面
（１１）    第２係合突起
（１２）    第２挿通孔
（１３）    第２バックル部
（１４）    第２係止片
（１５）    壁面
（１６）    一端
（１７）    切り込み部
（１８）    上辺
（１９）    下辺
（２０）    バンド部
（２１）    円環状
（２２）    上面
（２３）    突片
（２４）    一側面
（矢印Ｍ１）戻り方向
（矢印Ｍ２）戻り方向
（矢印Ｓ１）挿通方向
（矢印Ｓ２）挿通方向
【図１】
2011057246.tif 000003
【図２】
2011057246.tif 000004
【図３】
2011057246.tif 000005
【図４】
2011057246.tif 000006
【図５】
2011057246.tif 000007
【図６】
2011057246.tif 000008
【図７】
2011057246.tif 000009
【図８】
2011057246.tif 000010
【図９】
2011057246.tif 000011
【図１０】
2011057246.tif 000012
【図１１】
2011057246.tif 000013
【図１２】
2011057246.tif 000014
【図１３】
2011057246.tif 000015
【図１４】
2011057246.tif 000016
【図１５】
2011057246.tif 000017
【図１６】
2011057246.tif 000018
【図１７】
2011057246.tif 000019
【図１８】
2011057246.tif 000020
【図１９】
2011057246.tif 000021
【図２０】
2011057246.tif 000022
【図２１】
2011057246.tif 000023
【図２２】
2011057246.tif 000024
【図２３】
2011057246.tif 000025
【図２４】
2011057246.tif 000026
【図２５】
2011057246.tif 000027
【図２６】
2011057246.tif 000028
【図２７】
2011057246.tif 000029
【図２８】
2011057246.tif 000030
【図２９】
2011057246.tif 000031